(57)【要約】【課題】自動二輪車に適したインフォメーションディスプレイシステムを提供する。【解決手段】自動二輪車１のインフォメーションディスプレイシステム１０は、ディスプレイパネル１２と複数のタッチ式入力装置１６を備える。複数のタッチ式入力装置１６は、ディスプレイパネル１２とは別に設けられ、長手方向に位置の検出感度を有する。【選択図】図１
2019003478.tif 000002
【特許請求の範囲】
【請求項１】
乗り物のインフォメーションディスプレイシステムであって、
ディスプレイパネルと、
前記ディスプレイパネルと別に設けられ、長手方向に位置の検出感度を有するひとつまたは複数のタッチ式入力装置と、
を備えることを特徴とするインフォメーションディスプレイシステム。
【請求項２】
前記複数のタッチ式入力装置は、
親指でなぞることが容易な方向に伸びる第１タッチ入力装置と、
人差し指でなぞることが容易な方向に伸びる第２タッチ入力装置と、
を含むことを特徴とする請求項１に記載のインフォメーションディスプレイシステム。
【請求項３】
前記ひとつまたは複数のタッチ式入力装置のひとつは、親指でなぞることが容易な方向に伸びる第１部分と、人差し指でなぞることが容易な方向に伸びる第２部分を含むことを特徴とする請求項１または２に記載のインフォメーションディスプレイシステム。
【請求項４】
前記複数のタッチ式入力装置のひとつは、前記ディスプレイパネルの左右の一辺に沿って設けられることを特徴とする請求項１から３のいずれかに記載のインフォメーションディスプレイシステム。
【請求項５】
前記複数のタッチ式入力装置の別のひとつは、前記ディスプレイパネルの下側の一辺に沿って設けられることを特徴とする請求項４に記載のインフォメーションディスプレイシステム。
【請求項６】
前記複数のタッチ式入力装置は第１方向に並べて配置され、
前記複数のタッチ式入力装置はそれぞれ、前記第１方向と垂直な第２方向に検出感度を有することを特徴とする請求項１に記載のインフォメーションディスプレイシステム。
【請求項７】
前記複数のタッチ式入力装置は円弧形状を有し、径方向に離間して配置され、
前記複数のタッチ式入力装置はそれぞれ、周方向に検出感度を有することを特徴とする請求項１に記載のインフォメーションディスプレイシステム。
【請求項８】
前記複数のタッチ式入力装置の少なくともひとつは、コの字型の部分を有する電極を有し、かつ２点同時タッチを検出可能に構成されることを特徴とする請求項１から７のいずれかに記載のインフォメーションディスプレイシステム。
【請求項９】
前記タッチ式入力装置は、
ギャップを隔てて設けられ、ユーザがタッチした点において接触する２枚の抵抗膜と、
前記２枚の抵抗膜から引き出された複数の配線と、
前記複数の配線と接続され、ユーザが接触した位置を検出する制御回路と、
を備えることを特徴とする請求項１から８のいずれかに記載のインフォメーションディスプレイシステム。
【請求項１０】
前記タッチ式入力装置は、前記２枚の抵抗膜の一方に代えて、導体を備えることを特徴とする請求項９に記載のインフォメーションディスプレイシステム。
【請求項１１】
請求項１から１０のいずれかに記載のインフォメーションディスプレイシステムを備えることを特徴とする乗り物。
【発明の詳細な説明】
【技術分野】
【０００１】
本発明は、乗り物のインフォメーションディスプレイシステムに関する。
【背景技術】
【０００２】
従来、自動車のスピードメータ、タコメータ、燃料計や水温計などの計器類は、アナログメータで構成されていたが、近年、ディスプレイパネルへの置き換えが進められている。また自動車には、カーナビゲーションシステムが装備される場合が多くなっている。
【０００３】
このような流れは、自動二輪車などの他の乗り物にも波及することが予想されており、すでにいくつかのメーカが、液晶パネルを備えた自動二輪車を開発している。自動二輪車は自動車と異なり屋根がなく、ディスプレイパネルは直接的に風雨にさらされるため、高い耐候性が求められる。
【０００４】
こうした事情から、自動二輪車に使用されるディスプレイパネルの表面には、紫外線防止フィルム、反射防止フィルム、防水フィルムなど、複数の保護フィルムが貼付けられる。
【０００５】
一方で直射日光の下で十分な視認性を確保するために自動二輪車のディスプレイパネルは、自動車のそれよりも高輝度であることが求められる。かかる事情から、自動二輪車の液晶パネルのバックライトには、非常に高い輝度が要求され、このことがコストを上昇させ、普及を妨げている。
【発明の概要】
【発明が解決しようとする課題】
【０００６】
本発明者は、自動二輪車のディスプレイシステムについて検討した結果、以下の課題を認識するに至った。
【０００７】
自動二輪車のディスプレイスステムを有効活用するためには、それを操作するためのユーザインタフェース（入力インタフェース）が欠かせない。液晶ディスプレイをタッチパネル化して、入力インタフェースとすることも考えられるが、上述のようにタッチパネルの上に、何層もの保護フィルムが積層されることとなるため、操作性が悪化する。またタッチパネル自体が、バックライトの透過率を低下させるため、バックライトの輝度を一層高める必要がある。
【０００８】
また、自動二輪車の運転者はグローブを付けたまま操作を行う場合が多いため、タッチパネルは却って操作しにくい場合もあり、オーバースペックである。なおこの検討を当業者の一般的な認識と捉えてはならない。
【０００９】
本発明はかかる状況においてなされたものであり、そのある態様の例示的な目的のひとつは、乗り物に適したインフォメーションディスプレイシステムの提供にある。
【課題を解決するための手段】
【００１０】
本発明のある態様は、乗り物のインフォメーションディスプレイシステムに関する。インフォメーションディスプレイシステムは、ディスプレイパネルと、ディスプレイパネルと別に設けられ、長手方向に位置の検出感度を有するひとつまたは複数のタッチ式入力装置と、を備える。
【００１１】
この態様によると、タッチパネルに代えて、一方向に検出感度を有するタッチ式入力装置を設けることにより、操作性を高めることができる。タッチ式入力装置は、フリック入力、スライド入力、タップ入力、ダブルタップ入力、長押し入力などのジェスチャに対応してもよい。タッチパネルがディスプレイパネル上に不要となるため、実効的な輝度を高めることができる。
【００１２】
複数のタッチ式入力装置は、親指でなぞることが容易な方向に伸びる第１タッチ入力装置と、人差し指でなぞることが容易な方向に伸びる第２タッチ入力装置と、を含んでもよい。
これにより、いわゆるピンチイン、ピンチオフの入力が可能となる。
【００１３】
ひとつまたは複数のタッチ式入力装置のひとつは、親指でなぞることが容易な方向に伸びる第１部分と、人差し指でなぞることが容易な方向に伸びる第２部分を含んでもよい。
２点タッチを利用することでピンチイン、ピンチオフの入力が可能となる。
【００１４】
複数のタッチ式入力装置のひとつは、ディスプレイパネルの左右の一辺に沿って設けられてもよい。複数のタッチ式入力装置の別のひとつは、ディスプレイパネルの下側の一辺に沿って設けられてもよい。
【００１５】
複数のタッチ式入力装置は第１方向に並べて配置され、複数のタッチ式入力装置はそれぞれ、第１方向と垂直な第２方向に検出感度を有してもよい。
いずれのタッチ入力装置にタッチしているかに応じて第１方向のタッチ位置を検出でき、タッチされた入力装置がどの部分にタッチされているかによって第２方向のタッチ位置を検出でき、したがって２次元のタッチ検出が可能となる。
【００１６】
複数のタッチ式入力装置は円弧形状を有し、径方向に離間して配置され、複数のタッチ式入力装置はそれぞれ、周方向に検出感度を有してもよい。
【００１７】
複数のタッチ式入力装置の少なくともひとつは、コの字型の部分を有する電極を有し、かつ２点同時タッチを検出可能に構成されてもよい。これにより直交する２方向それぞれについて、スライド（フリック）入力を検出できる。
【００１８】
タッチ式入力装置は、ギャップを隔てて設けられ、ユーザがタッチした点において接触する２枚の抵抗膜と、２枚の抵抗膜から引き出された複数の配線と、複数の配線と接続され、ユーザが接触した位置を検出する制御回路と、を備えてもよい。
【００１９】
タッチ式入力装置は、２枚の抵抗膜の一方に代えて、導体を備えてもよい。
【００２０】
本発明の別の態様は乗り物に関する。乗り物は上述のいずれかのインフォメーションディスプレイシステムを備えてもよい。
【００２１】
なお、以上の構成要素を任意に組み合わせたもの、あるいは本発明の表現を、方法、装置などの間で変換したものもまた、本発明の態様として有効である。
【発明の効果】
【００２２】
本発明のある態様によれば、乗り物に適したインフォメーションディスプレイシステムを提供できる。
【図面の簡単な説明】
【００２３】
【図１】実施の形態に係るインフォメーションディスプレイシステムを備える自動二輪車を示す図である。
【図２】図２（ａ）、（ｂ）は、タッチ式入力装置の基本機能を説明する図である。
【図３】図３（ａ）は、タッチ式入力装置のレイアウトの一例を示す図であり、図３（ｂ）、（ｃ）は、その使用を説明する図ある。
【図４】図４（ａ）〜（ｃ）は、タッチ式入力装置のレイアウトの別の例を示す図である。
【図５】図５（ａ）〜（ｄ）は、タッチ式入力装置の別のレイアウトを示す図である。
【図６】図６（ａ）は、上から下にスライドしたときの遷移を、図６（ｂ）は、下から上にスライドしたときの遷移を示す図である。
【図７】図７（ａ）は、タッチ式入力装置の別のレイアウトと、検出可能な入力を説明する図であり、図７（ｂ）、（ｃ）は、タッチ式入力装置の別のレイアウトを示す図である。
【図８】図８（ａ）、（ｂ）は、タッチ式入力装置の別のレイアウトと、検出可能な入力を説明する図であり、図８（ｃ）は、タッチ式入力装置のさらに別のレイアウトを示す図である。
【図９】図９（ａ）〜（ｄ）は、抵抗膜タッチパネルを示す図である。
【図１０】実施の形態に係る制御回路のブロック図である。
【図１１】図１１（ａ）〜（ｄ）は、タッチパネルと制御回路の接続を示す図である。
【図１２】制御回路の第１構成例を示すブロック図である。
【図１３】図１３（ａ）〜（ｄ）は、電圧源の構成例を示す回路図である。
【図１４】さらに多くのタッチパネルを制御可能な制御回路のブロック図である。
【図１５】制御回路および複数のタッチパネルのレイアウトの一例を示す図である。
【図１６】従来の制御回路および複数のタッチパネルのレイアウトの一例を示す図である。
【図１７】図１７（ａ）〜（ｃ）は、分割モードを説明する図である。
【発明を実施するための形態】
【００２４】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２５】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２６】
図１は、実施の形態に係るインフォメーションディスプレイシステム１０を備える自動二輪車１を示す図である。本明細書において自動二輪車１は、原動機付き自転車を含む。図１には自動二輪車１のコクピット周辺が示されており、インフォメーションディスプレイシステム１０は、ディスプレイパネル１２、コントローラ（図１に不図示）および少なくともひとつのタッチ式入力装置１６を備える。
【００２７】
ディスプレイパネル１２は、たとえば液晶パネル（ＬＣＤパネル）であり、コクピットのセンター付近に設けられる。このディスプレイパネル１２に表示すべき情報は特に限定されないが、カーナビゲーションシステムに関連する情報、たとえば地図を表示してもよいし、オーディオシステムに関連する情報を表示してもよい。あるいはディスプレイパネル１２には、スピードメータなどを表示してもよい。
【００２８】
コントローラは、インフォメーションディスプレイシステム１０を統合的に制御するユニットであり、たとえばＣＰＵ（Central Processing Unit）などを含む。
【００２９】
少なくともひとつのタッチ式入力装置１６は、ディスプレイパネル１２とハンドルのグリップ２Ｌ、２Ｒの間の領域に設けられる。図４には４個のタッチ式入力装置１６が示されるが、その個数は特に限定されない。これらのタッチ式入力装置１６は、インフォメーションディスプレイシステム１０の入力インタフェースとして設けられている。
【００３０】
図２（ａ）、（ｂ）は、タッチ式入力装置１６の基本機能を説明する図である。タッチ式入力装置１６は、長手方向（図中Ａ方向）に位置の検出感度を有し、短手方向（幅方向、図中Ｂ方向）には不感である。図２（ｂ）に示すように、指を斜め方向にスライド（以下、フリックも含む）しても、Ｂ方向の変化は無視され、Ａ方向のスライド入力として扱われる。
【００３１】
図１に戻る。タッチ式入力装置１６は、運転者がタッチした座標あるいはジェスチャ入力を検出し、コントローラに出力する。コントローラは、複数のタッチ式入力装置１６からの検出結果にもとづいて、インフォメーションディスプレイシステム１０を制御する。
【００３２】
以上がインフォメーションディスプレイシステム１０の構成である。図３（ａ）は、タッチ式入力装置１６のレイアウトの一例を示す図であり、図３（ｂ）、（ｃ）は、その使用を説明する図ある。
【００３３】
図３（ａ）には、２つのタッチ式入力装置１６が示される。一方のタッチ式入力装置１６Ａは、ディスプレイパネル１２の右側の一辺に沿って配置され、他方のタッチ式入力装置１６Ｂは、ディスプレイパネル１２の下側の一辺に沿って配置される。
【００３４】
図３（ｂ）に示すように、タッチ式入力装置１６Ａと１６Ｂは、それぞれ独立して、なぞることができる。たとえば地図を表示した状態で、タッチ式入力装置１６Ａ（１６Ｂ）をスライド（あるいはフリック）すると、上下（左右）にスクロールしてもよい。あるいはオーディオ再生中に、タッチ式入力装置１６Ａや１６Ｂのスライドを、音量の制御、選曲に割り当ててもよい。そのほか、複数のメニューからの選択入力やカーソルの移動なども、タッチ式入力装置１６Ａや１６Ｂのスライド入力に割り当てることができる。
【００３５】
図３（ｃ）に示すように、タッチ式入力装置１６Ａと１６Ｂによって、親指と人差し指を利用したジェスチャ入力を受け付けることができる。すなわちタッチ式入力装置１６Ｂは、親指でなぞることが容易な方向に伸びており、タッチ式入力装置１６Ａは人差し指でなぞることが容易な方向に伸びている。親指と人差し指を、それぞれのタッチ式入力装置１６に沿って動かすことにより、ピンチインあるいはピンチアウトのジェスチャ入力を受け付けることができる。
【００３６】
図４（ａ）〜（ｃ）は、タッチ式入力装置１６のレイアウトの別の例を示す図である。図４（ａ）のタッチ式入力装置１６は、図３（ａ）と実質的に同じであり、長さが異なっている。
【００３７】
図４（ｂ）あるいは図４（ｃ）のタッチ式入力装置１６Ｃは、親指でなぞることが容易な方向に伸びる第１部分１７と、人差し指でなぞることが容易な方向に伸びる第２部分１８を含み、Ｌ字型に折れ曲って連続的に形成される。タッチ式入力装置１６ＣはＬ字方向に沿った検出感度を有する。第１部分１７への入力は、図３（ａ）のタッチ式入力装置１６Ｂと同様に扱うことができ、第２部分１８への入力は、図３（ａ）のタッチ式入力装置１６Ａと同様に扱うことができる。
【００３８】
タッチ式入力装置１６は、マルチタッチに対応してもよい。図４（ｂ）や図４（ｃ）のタッチ式入力装置１６Ｃを、マルチタッチに対応させることで、図３（ｃ）に示すようなピンチイン、ピンチアウトなどのジェスチャを検出できる。
【００３９】
以上がインフォメーションディスプレイシステム１０の構成である。
このインフォメーションディスプレイシステム１０によれば、単純なフリック、スライド、タッチなどの簡単なアクション入力で、操作が可能である。特に自動二輪車は、グローブをした状態で操作する場合が多いため、細やかな操作が困難であるところ、グローブをした状態でも快適な操作入力が可能である。
【００４０】
また、操作入力の種類が限られているため、感覚的な素早い入力が可能となり、操作時間を短縮できる。
【００４１】
タッチ式入力装置１６を設けたことにより、ディスプレイパネル１２にタッチパネル機能が不要となるため、輝度の低下を抑制でき、言い換えればディスプレイとして同じ輝度を得るために必要なバックライトの輝度を下げることができる。
【００４２】
図５（ａ）〜（ｄ）は、タッチ式入力装置１６の別のレイアウトを示す図である。
図５（ａ）において、複数のタッチ式入力装置Ａ，Ｂは、第１方向（Ｙ方向）に離間して配置され、各タッチ式入力装置Ａ，Ｂは、第２方向（Ｘ方向）が長手方向であり、Ｘ方向に感度を有する。
【００４３】
図５（ａ）において、Ｘ方向のスライド入力は、タッチ式入力装置Ａ，Ｂそれぞれにおいて行うことができる。また、複数のタッチ入力装置Ａ，Ｂのタッチの有無の判定の組み合わせによって、Ｙ方向のタッチ位置を検出できる。
【００４４】
ここで複数のタッチ入力装置Ａ，Ｂの間隔ｄは、それらを同時にタッチ可能な程度に狭いことが望ましい。これにより２本のタッチ式入力装置１６によって、Ａのみがタッチされた状態、Ａ，Ｂが両方タッチされた状態、Ｂのみがタッチされた状態と、Ｙ方向に関して、３つの階調を提供できる。
【００４５】
また、複数のタッチ入力装置Ａ，Ｂのタッチの有無の組み合わせの状態の時間遷移を監視することにより、Ｙ方向のスライド入力の検出が可能となる。図６（ａ）は、上から下にスライドしたときの遷移を、図６（ｂ）は、下から上にスライドしたときの遷移を示す図である。ＯＮはタッチを、ＯＦＦは非タッチを示す。
【００４６】
なお、タッチ入力装置Ａ，Ｂの間隔ｄは、それらを同時タッチ不可能な程度に広くてもよい。この場合、図６（ａ）、（ｂ）において、中央の状態φ２が存在しないこととなるが、φ１とφ３の間の遷移の時間を適切に規定することにより、スライド入力か否かを区別できる。
【００４７】
図５（ｂ）を参照する。図５（ｂ）は、図５（ａ）のタッチ式入力装置１６のペアＡ，Ｂを２系統、並べたものである。２つのペアは、異なる指で操作可能な領域に配置される。たとえば一方のペアＡ１，Ｂ１を人差し指で操作可能な領域に配置し、他方のペアＡ２，Ｂ２を親指で操作可能な領域に配置してもよい。これにより２点タッチに対応できる。またピンチイン、ピンチアウトなどの２本の指の開閉も検出できる。なお２点タッチ（マルチタッチ）の検出については、特願２０１１−０７６５９１号公報に記載の技術を用いることができる。
【００４８】
図５（ｃ）では、図５（ｂ）の２系統のタッチ式入力装置Ａ，Ｂのペアの間に、タッチ式入力装置Ｃが設けられている。このタッチ式入力装置Ｃは、決定ボタンなど、専用の入力に割り当てられる。タッチ式入力装置Ｃを設けることにより、ダブルタップや長押しなどよりも簡単な操作が提供される。
【００４９】
図５（ｄ）では、タッチ式入力装置の幅を狭くして、個数をさらに増やしたものである。これにより、より正確にＹ方向の座標を検知でき、あるいはスライド入力の検出が可能となる。
【００５０】
図７（ａ）は、タッチ式入力装置の別のレイアウトと、検出可能な入力を説明する図である。Ｘ方向のみ、Ｙ方向のみのスライドの他、斜め方向のスライド入力を検出することも可能である。
【００５１】
図７（ｂ）、（ｃ）は、タッチ式入力装置の別のレイアウトを示す図である。図７（ｂ）は、複数のタッチ式入力装置を斜め方向に配置したものである。図７（ｃ）では、複数のタッチ式入力装置１６は円弧形状を有する。それらは径方向に離間して配置され、周方向に検出感度を有する。図７（ｂ）、（ｃ）のタッチ式入力装置によっても、さまざまなタッチ入力を検出できる。
【００５２】
図８（ａ）は、タッチ式入力装置の別のレイアウトと、検出可能な入力を説明する図である。図８（ａ）のタッチ式入力装置は、コの字（Ｕ字）形状の電極１７を有する。電極１７の平行な２辺の間隔１７ａ，１７ｂは、ユーザの指が同時に接触可能な程度に狭められている。またこのタッチ式入力装置は、２点タッチを検出可能である。
【００５３】
ユーザが指を上から下方向にフリックすると、図８（ｂ）に示すように、上側の辺１７ａのみタッチした状態φ１、上側の辺１７ａと下側の辺１７ｂを同時にタッチした状態φ２、下側の辺１７ｂのみタッチした状態φ３を順に遷移する。下から上方向にフリックした場合、逆の順序で遷移する。したがって、図５（ａ）〜（ｄ）のタッチ式入力装置と同様のアルゴリズム（図６（ａ）、（ｂ））にしたがって、左右のスライドと、上下のスライドを検出できる。
【００５４】
なお実施の形態では、自動二輪車を説明したが、本発明を適用可能なその他の乗り物としては、自動車、三輪車、ボートや船、ゴルフ場やテーマパークで使用されるカート、ショベルカーやフォークリフトなどの作業車両などが例示される。
【００５５】
（タッチ式入力装置について）
タッチ式入力装置１６の構成は特に限定されるものではないが、最後にタッチ式入力装置１６の構成例を説明する。
【００５６】
タッチ式入力装置１６は、抵抗膜式タッチパネルと制御回路の組み合わせで構成できる。
はじめに、実施の形態に係る制御回路２００が対応可能な、異なる抵抗膜タッチパネルについて説明する。図９（ａ）〜（ｄ）は、抵抗膜タッチパネルを示す図である。図９（ａ）は、一般的な４線式のタッチパネル４００ａを示す。４線式のタッチパネル４００ａは、２枚の抵抗膜４０２，４０４と、抵抗膜４０２の対向する２辺に沿って設けられた電極対４０６，４０８と、抵抗膜４０４の対向する２辺に沿って設けられた電極対４１０，４１２と、を備える。４個の電極４０６，４０８，４１０，４１２から４本の配線Ｘ１，Ｘ２，Ｙ１，Ｙ２が引き出されており、図示しない制御回路と接続される。
【００５７】
接触点Ｐで２枚の抵抗膜４０２と４０４が接触したとする。Ｘ座標を検出するために、図示しない制御回路は、抵抗膜４０２の電極４０６に電源電圧（第１固定電圧）ＶＤＤを、電極４０８に接地電圧（第２固定電圧）ＶＧＮＤを印加する。接触点Ｐの電位ＶＰは、式（１）で表される。
ＶＰ＝ＶＤＤ×ＲＸ２／（ＲＸ１＋ＲＸ２）      …（１）
抵抗値ＲＸ１は、接触点Ｐと電極４０６の間の抵抗値であり、抵抗値ＲＸ２は、接触点Ｐと電極４０８の間の抵抗値である。ＲＸ１＋ＲＸ２は定数であり、ＲＣは接触抵抗を表す。抵抗膜４０４側をハイインピーダンスとしたとき、電極４１０および４１２には、接触点Ｐの電位ＶＰが現れるため、制御回路は電極４１０または４１２の電圧ＶＰを測定することにより、抵抗値ＲＸ２、すなわちＸ座標を判定できる。
【００５８】
Ｙ座標を検出するために、制御回路は、抵抗膜４０４の電極４１０に電源電圧ＶＤＤを、電極４１２に接地電圧ＶＧＮＤを印加する。接触点Ｐの電位ＶＰは、式（２）で表される。
ＶＰ＝ＶＤＤ×ＲＹ２／（ＲＹ１＋ＲＹ２）    …（２）
抵抗値ＲＹ１は、接触点Ｐと電極４１０の間の抵抗値であり、抵抗値ＲＹ２は、接触点Ｐと電極４１２の間の抵抗値である。ＲＹ１＋ＲＹ２は定数である。抵抗膜４０２側をハイインピーダンスとしたとき、電極４０６および４０８には、接触点Ｐの電位ＶＰが現れるため、制御回路は電極４０６または４０８の電圧ＶＰを測定することにより、ＲＹ２、すなわちＹ座標を判定できる。
【００５９】
図９（ｂ）は、５線式のタッチパネル４００ｂを示す。４線式のタッチパネル４００ｂは、２枚の抵抗膜４２０，４２２と、抵抗膜４２０の対向する２辺に設けられた電極対４２６，４２８、直交する２辺に設けられた電極対４３０，４３２を備える。電極４２６，４２８，４３０，４３２ならびに抵抗膜４２２の電極４２４から５本の配線Ａ〜Ｅが引き出されて、図示しない制御回路と接続される。
【００６０】
Ｘ座標を検出するために、制御回路は、配線Ａに電源電圧ＶＤＤを、配線Ｂに接地電圧ＶＧＮＤを印加し、配線Ｃ，Ｄをハイインピーダンスとする。接触点Ｐの電位ＶＰは、式（１）で表される。ただし、抵抗値ＲＸ１，ＲＸ２は、接触抵抗ＲＣ、下側の抵抗膜４２２の抵抗値ＲＬよりも大きいとする。（ＲＸ１，ＲＸ２≫ＲＣ，ＲＬ）
ＶＰ＝ＶＤＤ×ＲＸ２／（ＲＸ１＋ＲＸ２）      …（１）
抵抗値ＲＸ１は、接触点Ｐと電極４２６の間の抵抗値であり、抵抗値ＲＸ２は、接触点Ｐと電極４２８の間の抵抗値である。抵抗膜４２２側をハイインピーダンスとしたとき、抵抗膜４２２には、接触点Ｐの電位ＶＰが現れるため、制御回路は配線Ｅの電圧ＶＰを測定することにより、抵抗値ＲＸ２、すなわちＸ座標を判定できる。
【００６１】
Ｙ座標を検出するために、制御回路は、配線Ｃに電源電圧ＶＤＤを、配線Ｄに接地電圧ＶＧＮＤを印加し、配線Ａ，Ｂをハイインピーダンスとする。接触点Ｐの電位ＶＰは、式（２）で表される。
ＶＰ＝ＶＤＤ×ＲＹ２／（ＲＹ１＋ＲＹ２）      …（２）
抵抗値ＲＹ１（不図示）は、接触点Ｐと電極４３０の間の抵抗値であり、抵抗値ＲＹ２（不図示）は、接触点Ｐと電極４３２の間の抵抗値である。抵抗膜４２２側をハイインピーダンスとしたとき、抵抗膜４２２には、接触点Ｐの電位ＶＰが現れるため、制御回路は配線Ｅの電圧ＶＰを測定することにより、抵抗値ＲＹ２、すなわちＹ座標を判定できる。
【００６２】
図９（ｃ）のタッチパネル４００ｃは、図９（ａ）のタッチパネル４００ａの上側の構造と、図９（ｂ）の下側の構造の組み合わせと把握でき、３本の配線Ｘ１，Ｘ２，Ｆが引き出されている。本明細書においてタッチパネル４００ｃを３線式と称する。このタッチパネル４００ｃは、Ｘ方向にのみ位置分解能を有しており、制御回路は、図９（ａ）の４線式と同じ処理によってＸ座標を検出できる。
【００６３】
図９（ｄ）のタッチパネル４００ｄは、２枚の抵抗膜４０２，４０４と、電極４３４を備える。電極４３４から配線Ｇが、抵抗膜４０４から配線Ｈが引き出されており、図示しない制御回路と接続される。このタッチパネル４００ｄは、Ｘ方向にのみ位置分解能を有している。
【００６４】
Ｘ座標を検出するために、制御回路は、電極４３４から接触点Ｐを経て配線Ｈの引き出し点４３６に至る経路の抵抗値Ｚを測定する。
Ｚ＝ＲＸ＋ＲＣ＋ＲＬ
抵抗値Ｚの測定方法は特に限定されない。たとえば配線Ｇに電源電圧ＶＤＤを供給し、配線Ｈを既知の抵抗ｒでプルダウンし、このときの配線Ｈの電圧ＶＰを測定してもよい。
ＶＰ＝ＶＤＤ×ｒ／（ｒ＋Ｚ）
【００６５】
電圧ＶＰから抵抗値Ｚを計算可能である。さらにＲＣ、ＲＬが既知であるとすれば、抵抗値Ｚから抵抗値ＲＸ１を計算でき、したがってＸ座標を検出できる。抵抗膜４３２は金属導体であってもよく、この場合、ＲＬ＝０となる。
【００６６】
あるいは配線Ｈを接地し、配線Ｇから既知の定電流ＩＣを供給して、配線Ｇの電圧ＶＰを測定してもよい。
ＶＰ＝ＩＣ×Ｚ
【００６７】
本実施の形態に係る制御回路は、図９（ａ）〜（ｄ）の四種類のタッチパネルに対応する。以下、その構成を説明する。
【００６８】
図１０は、実施の形態に係る制御回路２００のブロック図である。制御回路２００は、第１ピンＰ１、第２ピンＰ２、第３ピンＰ３、第４ピンＰ４、第５ピンＰ５、Ａ／Ｄ変換回路２１０、バイアス回路２２０、ロジック回路２３０、インタフェース回路２４０を備える。第５ピンＰ５を、コモンバイアスピンとも称する。複数のピンＰ１〜Ｐ５は、制御回路２００のパッケージの１辺に沿って配置されてもよい。電源ピンやグランドピン、インタフェース用のピン、エラー出力用のピンなどは、別の１辺に沿って配置してもよい。制御回路２００のパッケージの種類は特に限定されないが、挿入型のＤＩＰ（Dual Inline Package）やＳＩＰ（Single Inline Package）、あるいは表面実装型のＳＯＰ（Small Outline Package）、ＱＦＰ（Quad Flat Package）などであり得る。
【００６９】
Ａ／Ｄ変換回路２１０は、第１ピンＰ１から第４ピンＰ４の少なくとも２つと接続されており、その中から少なくともひとつを選択可能であり、選択されたピンＰｉの電圧Ｖｉをデジタル値Ｄｉに変換可能に構成される。本実施の形態では、Ａ／Ｄ変換回路２１０は、第１ピンＰ１から第４ピンＰ４のすべての接続されており、ｉ＝１，２，３，４を取り得る。
【００７０】
バイアス回路２２０は、第１ピンＰ１から第５ピンＰ５に対して、第１所定電圧（たとえば電源電圧ＶＤＤ）、第２所定電圧（たとえば接地電圧ＶＧＮＤ）およびハイインピーダンス状態（Ｈｉ−ｚ）の組み合わせを選択的に発生可能に構成される。たとえばバイアス回路２２０は、第１ピンＰ１から第５ピンＰ５それぞれに、電源電圧ＶＤＤ、接地電圧ＶＧＮＤ、ハイインピーダンス状態（Ｈｉ−ｚ）を選択的に発生可能に構成されてもよい。
【００７１】
ロジック回路２３０は、Ａ／Ｄ変換回路２１０の出力信号を処理し、ユーザがタッチした座標を検出する。またロジック回路２３０は、Ａ／Ｄ変換回路２１０が選択すべきピンを制御する。さらにロジック回路２３０は、バイアス回路２２０が第１ピンＰ１〜第５ピンＰ５に発生する電気的状態の組み合わせを制御する。インタフェース回路２４０は、図示しないプロセッサと接続され、インタフェース回路２４０を介して、ロジック回路２３０による信号処理の結果得られる情報がプロセッサによって読み出し可能となっている。この情報は、たとえばタッチの有無を示すデータや、タッチした座標データなどを含みうる。
【００７２】
本実施の形態において制御回路２００は、第１モードから第４モードが切りかえ可能である。
【００７３】
・第１モードでは、第１ピンＰ１から第４ピンＰ４を利用して、１枚の４線式の抵抗膜タッチパネルを制御する。
・第２モードでは、第１ピンＰ１から第５ピンＰ５を利用して、２枚の３線式の抵抗膜タッチパネルを制御する。
・第３モードでは、第１ピンＰ１から第５ピンＰ５を利用して、１枚の５線式の抵抗膜タッチパネルを制御する。
・第４モードでは、第１ピンＰ１から第４ピンＰ４を利用して、２枚の２線式の抵抗膜タッチパネルを制御する。
【００７４】
以上が制御回路２００の構成である。続いてその動作を説明する。図１１（ａ）〜（ｄ）は、タッチパネル４００ａ〜４００ｄと制御回路２００の接続を示す図である。
【００７５】
図１１（ａ）では、４線式タッチパネル４００ａが使用される。制御回路２００は第１モードに設定され、制御回路２００の第５ピンＰ５は不使用である。
【００７６】
バイアス回路２２０は、第１モードにおいて以下の状態を発生させる。
・Ｘ座標測定時
第１ピンＰ１：電源電圧ＶＤＤ
第２ピンＰ２：接地電圧ＶＧＮＤ
第３ピンＰ３：ハイインピーダンスＨｉ−ｚ
第４ピンＰ４：ハイインピーダンスＨｉ−ｚ
第５ピンＰ５：不使用
【００７７】
・Ｙ座標測定時
第１ピンＰ１：ハイインピーダンスＨｉ−ｚ
第２ピンＰ２：ハイインピーダンスＨｉ−ｚ
第３ピンＰ３：電源電圧ＶＤＤ
第４ピンＰ４：接地電圧ＶＧＮＤ
第５ピンＰ５：不使用
【００７８】
Ａ／Ｄ変換回路２１０は、第１モードにおいて以下の測定を行う。
・Ｘ座標測定時
第４ピンＰ４の電圧を測定（第３ピンＰ３を測定してもよい）
・Ｙ座標測定時
第２ピンＰ２の電圧を測定（第１ピンＰ１を測定してもよい）
【００７９】
図１１（ｂ）では、５線式タッチパネル４００ｂが使用される。制御回路２００は第３モードに設定される。電圧を測定すべき配線Ｅは、第１ピンＰ１〜第４ピンＰ４のひとつ（ここでは第４ピンＰ４）と接続され、電圧を供給すべき配線Ａ〜Ｄは、第１ピンＰ１〜第４ピンＰ４の残り（第１ピンＰ１〜第３ピンＰ３）と、第５ピンＰ５に接続される。
【００８０】
バイアス回路２２０は、第３モードにおいて以下の状態を発生させる。不使用は、ハイインピーダンスと読み替えてもよい。
・Ｘ座標測定時
第１ピンＰ１：電源電圧ＶＤＤ
第２ピンＰ２：接地電圧ＶＧＮＤ
第３ピンＰ３：ハイインピーダンスＨｉ−ｚ
第４ピンＰ４：ハイインピーダンスＨｉ−ｚ
第５ピンＰ５：ハイインピーダンスＨｉ−ｚ
【００８１】
・Ｙ座標測定時
第１ピンＰ１：ハイインピーダンスＨｉ−ｚ
第２ピンＰ２：ハイインピーダンスＨｉ−ｚ
第３ピンＰ３：電源電圧ＶＤＤ
第４ピンＰ４：ハイインピーダンスＨｉ−ｚ
第５ピンＰ５：接地電圧ＶＧＮＤ
【００８２】
Ａ／Ｄ変換回路２１０は、第３モードにおいて以下の測定を行う。
・Ｘ座標測定時、Ｙ座標測定時
第４ピンＰ４の電圧を測定
【００８３】
図１１（ｃ）では、３線式タッチパネル４００ｃが２枚使用される。２枚のタッチパネル４００ｃそれぞれの、電圧を測定すべき配線Ｆは、第１ピンＰ１〜第４ピンＰ４のいずれか（ここでは第２ピンＰ２および第４ピンＰ４）に接続される。また２枚のタッチパネル４００ｃそれぞれの、電圧（たとえば接地電圧ＶＧＮＤ）を供給すべき配線Ｘ２は、第５ピンＰ５に共通に接続される。２枚のタッチパネル４００ｃそれぞれの、電圧（たとえば電源電圧ＶＤＤ）を供給すべき配線Ｘ１は、第１ピンＰ１、第３ピンＰ３に接続される。
【００８４】
バイアス回路２２０は、第２モードにおいて以下の状態を発生させる。
・Ｘ座標測定時
第１ピンＰ１：電源電圧ＶＤＤ
第２ピンＰ２：ハイインピーダンスＨｉ−ｚ
第３ピンＰ３：電源電圧ＶＤＤ
第４ピンＰ４：ハイインピーダンスＨｉ−ｚ
第５ピンＰ５：接地電圧ＶＧＮＤ
【００８５】
Ａ／Ｄ変換回路２１０は、第２モードにおいて以下の測定を行う。
・Ｘ座標測定時
第２ピンＰ２の電圧を測定
第４ピンＰ４の電圧を測定
【００８６】
図１１（ｄ）では、２線式タッチパネル４００ｄが２枚使用される。制御回路２００は第４モードに設定される。２枚のタッチパネル４００ｄそれぞれの電圧を測定すべき配線Ｈは、第１ピンＰ１〜第４ピンＰ４のいずれか（ここでは第２ピンＰ２および第４ピンＰ４）に接続される。また２枚のタッチパネル４００ｄそれぞれの、電圧（たとえば接地電圧ＶＧＮＤ）を供給すべき配線Ｇは、残りのピン（ここでは第１ピンＰ１、第３ピンＰ３）に接続される。
【００８７】
バイアス回路２２０は、第４モードにおいて以下の状態を発生させる。
・Ｘ座標測定時
第１ピンＰ１：電源電圧ＶＤＤ
第２ピンＰ２：ハイインピーダンス（もしくは高抵抗でプルダウン）
第３ピンＰ３：電源電圧ＶＤＤ
第４ピンＰ４：ハイインピーダンス（もしくは高抵抗でプルダウン）
第５ピンＰ５：不使用
【００８８】
Ａ／Ｄ変換回路２１０は、第４モードにおいて以下の測定を行う。
・Ｘ座標測定時
第２ピンＰ２の電圧を測定
第４ピンＰ４の電圧を測定
【００８９】
以上が制御回路２００の動作である。
この制御回路２００によれば、複数の抵抗膜タッチパネルを、ひとつの制御回路で制御可能となる。したがって、抵抗膜タッチパネルごとにひとつの制御回路を設ける場合に比べて回路の実装面積を小さくすることができる。
【００９０】
また、制御回路２００のチップ面積自体も、従来の制御回路のチップ面積に比べて、わずかに大きくなる程度で済む。
【００９１】
また、複数のピンＰ１〜Ｐ５を、制御回路２００のパッケージの１辺に沿って配置することにより、ひとつあるいは２個のタッチパネル４００との接続配線を簡素化できる。
【００９２】
図１２は、制御回路２００の第１構成例（２００ａ）を示すブロック図である。この制御回路２００ａはすべてのピンＰ１〜Ｐ５を同等に扱うことができる汎用性を有している。Ａ／Ｄ変換回路２１０は、マルチプレクサ２１２およびＡ／Ｄコンバータ２１４を含む。マルチプレクサ２１２は、ロジック回路２３０からの制御信号Ｓ２にもとづいて、第１ピンＰ１〜第５ピンＰ５のひとつを選択する。Ａ／Ｄコンバータ２１４はマルチプレクサ２１２が選択したピンの信号をデジタル値に変換する。つまりＡ／Ｄ変換回路２１０は、すべてのピンの生ずる電圧を検出可能となっている。
【００９３】
上述した第１モードから第４モードのＡ／Ｄ変換回路２１０の状態に着目すると、第２ピンＰ２と第４ピンＰ４の電圧が測定できれば足りる。したがってマルチプレクサ２１２の入力には、第２ピンＰ２と第４ピンＰ４のみを接続してもよい。
【００９４】
一方、図１２のようにすべてのピンＰ１〜Ｐ５の電圧を測定可能に構成しておくと、キャリブレーションや、機能検査などに利用することができるため、有利である。
【００９５】
バイアス回路２２０は、すべてのピンＰ１〜Ｐ５それぞれについて、電源電圧ＶＤＤ、接地電圧ＶＧＮＤ、ハイインピーダンス状態を切りかえ可能となっている。たとえばバイアス回路２２０は、ピンごとに設けられた電圧源２２２を備える。ｉ番目の電圧源２２２は、ロジック回路２３０からの制御信号Ｓ３ｉにもとづいて、その出力が、３状態（ＶＤＤ，ＶＧＮＤ，Ｈｉ−ｚ）で切りかえ可能である。
【００９６】
図１３（ａ）〜（ｄ）は、電圧源２２２の構成例を示す回路図である。図１３（ａ）の電圧源２２２は、イネーブル付きのバッファ（あるいはインバータ）である。電圧源２２２は、イネーブルピンにたとえばローレベルが入力されるとディセーブル状態となり、入力ＩＮにかかわらず、出力ＯＵＴがハイインピーダンス状態Ｈｉ−ｚとなる。またイネーブルピンにたとえばローレベルが入力されると、入力ＩＮに応じて、出力ＯＵＴは電圧ＶＤＤ、ＶＧＮＤの一方となる。
【００９７】
図１３（ｂ）の電圧源２２２は、スイッチと抵抗の組み合わせで構成される。プルアップスイッチＳＷＵ、プルダウンスイッチＳＷＤのオン、オフ状態は、ロジック回路２３０により制御される。２つのスイッチＳＷＵ，ＳＷＤが両方オフのとき、出力ＯＵＴはハイインピーダンスとなる。プルアップスイッチＳＷＵがオン、プルダウンスイッチＳＷＤがオフのとき、出力ＯＵＴには電圧ＶＤＤが現れる。プルアップスイッチＳＷＵがオフ、プルダウンスイッチＳＷＤがオンのとき、出力ＯＵＴには電圧ＶＧＮＤが現れる。プルアップ抵抗ＲＵやプルダウン抵抗ＲＤは省略してもよい。
【００９８】
図１３（ｃ）の電圧源２２２は、ハイインピーダンスと電圧ＶＤＤの２状態が切りかえ可能である。図１３（ｄ）の電圧源２２２は、ハイインピーダンスと電圧ＶＧＮＤの２状態が切りかえ可能である。
【００９９】
各ピンＰ１〜Ｐ５ごとに、電圧源２２２は異なる回路であってもよい。たとえば上述の第１モードから第４モードでは、第１ピンＰ１〜第５ピンＰ５は以下の状態が切りかえ可能であれば足りる。
Ｐ１＝ハイインピーダンスＨｉ−ｚ、電源電圧ＶＤＤ
Ｐ２＝ハイインピーダンスＨｉ−ｚ、接地電圧ＶＧＮＤ
Ｐ３＝ハイインピーダンスＨｉ−ｚ、電源電圧ＶＤＤ
Ｐ４＝ハイインピーダンスＨｉ−ｚ、接地電圧ＶＧＮＤ
Ｐ５＝ハイインピーダンスＨｉ−ｚ、接地電圧ＶＧＮＤ
【０１００】
したがって、第１ピンＰ１、第３ピンＰ３に対応する電圧源２２２については図１３（ｃ）の構成を、第２ピンＰ２、第４ピンＰ４、第５ピンＰ５に対応する電圧源２２２については図１３（ｄ）の構成を採用できる。
【０１０１】
なお当業者によれば、第１モードから第４モードでの各ピンの状態は上述したものには限定されず、ピンを入れ換えたりすることで、同等の機能が実現可能であることが理解される。
【０１０２】
図１４は、さらに多くのタッチパネル４００を制御可能な制御回路２００Ａのブロック図である。制御回路２００Ａは、第１ピンＰ１から第４ピンＰ４のセットを複数（Ｍ個、Ｍ≧２）備えており、第５ピンＰ５は複数のセットで共有される。つまり制御回路２００Ａは、第１ピンＰ１から第４ピンＰ４それぞれをＭ個ずつ有し、さらに単一の第５ピンＰ５を有している。そして、制御回路２００Ａは、セットごとにモードが選択可能である。図１４には、Ｍ＝２の例が示されるが、Ｍは３以上であってもよい。
【０１０３】
Ａ／Ｄ変換回路２１０Ａは、マルチプレクサ２１２およびＡ／Ｄコンバータ２１４を含む。マルチプレクサ２１２の入力は、Ｍ個のセットのピンＰ１〜Ｐ４と接続される。単一のＡ／Ｄコンバータ２１４は、時分割で複数のピンの電圧をデジタル値に変換する。すなわちひとつのＡ／Ｄコンバータ２１４が、複数のセットで時分割方式で共有されている。バイアス回路２２０Ａは、Ｍ個のセットのピンＰ１〜Ｐ４および単一の第５ピンＰ５と接続され、各ピンの状態を切りかえ可能に構成される。
【０１０４】
図１４の制御回路２００Ａによれば、複数のセットでＡ／Ｄコンバータ２１４を共有することで、回路面積の増加を抑制できる。言い換えればセットごとにＡ／Ｄコンバータ２１４を設けた場合に比べてチップシュリンクが可能となる。
【０１０５】
また図１０の制御回路２００をＭ個、併用した場合、タッチパネルと接続されるピンの個数は、Ｍ×５個となる。これに対して図１４の制御回路２００Ａによれば、ピンの個数は（Ｍ×４＋１）個となり、４個減らすことができる。ピン数の削減は、すなわち実装基板上の配線数の削減であるため、実装面積を減らすことが可能である。
【０１０６】
図１４の制御回路２００Ａにおいても、すべてのピンＰ１〜Ｐ５が制御回路２００のパッケージの１辺に沿って配置されている。図１５は、制御回路２００Ａおよび複数のタッチパネル４００ｃのレイアウトの一例を示す図である。図１５では、Ｍ＝２であり、３線式のタッチパネル４００ｃを４個、使用したものである。制御回路２００Ａは、実装基板２７０に実装されている。また実装基板２７０の１辺に沿って、コネクタ２７２＿１〜２７２＿４が設けられている。コネクタ２７２＿１〜２７２＿４には、４個のタッチパネル４００ｃ＿１〜４００ｃ＿４が着脱可能に接続される。また実装基板２７０上には、制御回路２００Ａの各ピンと、コネクタ２７２の対応するピンとを接続する配線２７４が形成される。
【０１０７】
図１５に示すように、複数の抵抗膜タッチパネル４００を操作インタフェースとして利用する場合、それらが隣接してあるいは並べて使用される態様が想定される。このような場合に、第１ピンＰ１から第５ピンＰ５を制御回路２００Ａの１辺に沿って並べることで、配線２７４の引き回しを簡素化できる。なお図中、２７６はビアホールを表しており、複数のビアホール２７６は、実装基板２７０の裏面配線（あるいは中間の配線層）を介して電気的に接続される。
【０１０８】
図１５のレイアウトのメリットは、図１６のレイアウトとの対比によって明確となる。従来では図１６に示すように４枚の３線式タッチパネル４００ｃ＿１〜４００ｃ＿４を制御するために、４個の制御回路２００Ｒ＿１〜２００Ｒ＿４が必要であった。４個の制御回路２００Ｒ＿１〜２００Ｒ＿４は同一のパッケージ、ピン配置を有していることに留意されたい。なお図１６に示す構造を、インフォメーションディスプレイシステム１０に用いてもよい。
【０１０９】
図１５を図１６と対比すると、実装基板２７０の面積が著しく小さくなっており、また配線が簡略化されていることが一目瞭然である。
【０１１０】
続いて、上述の制御回路２００に追加することが可能な機能（以下、分割モードと称する）を説明する。図１７（ａ）〜（ｃ）は、分割モードを説明する図である。
【０１１１】
図１７（ａ）に示すように、複数のタッチパネルＴＰを並べて使用したい場合がある。従来では、複数のタッチパネルＴＰを並べ、それらに対応する複数の制御回路を配置する必要があり、回路面積が非常に大きくなると言う問題がある。
【０１１２】
これに対して分割モードでは、図１７（ｂ）に示すように、図１７（ａ）の複数のタッチパネルの配置方向に長い１枚のタッチパネルＬＴＰを用意し、それを複数のタッチパネル（仮想タッチパネルＩＴＰと称する）として制御する。具体的には、抵抗膜タッチパネルＬＴＰは長手方向に、少なくともひとつの不感領域４４０と、当該少なくともひとつの不感領域４４０によって隔てられた複数の有効領域４４２に分割される。制御回路２００Ｂは、ひとつの有効領域４４２を、ひとつの仮想タッチパネルＩＴＰとして扱う。図１７（ｃ）では、４個の不感領域４４０＿１〜４４０＿４と、５個の有効領域４４２＿１〜４４２＿５に分けられている。なおこの分割は仮想的なものであって、タッチパネルＴＬＰが外観上区別可能な態様で物理的に分割されているわけではない。
【０１１３】
少なくともひとつの不感領域４４０および有効領域４４２それぞれの始点（座標原点Ｏ）の座標は、レジスタやメモリへの書き込みによって外部から設定可能である。
【０１１４】
制御回路２００Ｂのロジック回路２３０は、タッチされた座標Ｐを、パネルの種類（２線式〜５線式）に応じたモードで検出する。なお、分割モードで使用する場合であって、タッチパネルの長手方向と垂直な方向の分解能は不要である場合には、３線式のタッチパネルを用いることが望ましい。
【０１１５】
そして検出した座標ＰＡが、不感領域４４０に含まれる場合、そのタッチを無効とする。タッチされた座標ＰＢが有効領域４４２に含まれる場合、ロジック回路２３０は、タッチされた点を含む有効領域の番号（４４２＿１の場合、１）をメモリに保持する。外部のマイコンは、このメモリにアクセスすることで、いずれの仮想タッチパネルＩＴＰがタッチされたかを取得できる。外部から見れば、１個の仮想タッチパネルを、ひとつのスイッチ（ボタン）として扱うことができ、したがって１枚のタッチパネルを、５個のスイッチとして利用できる。
【０１１６】
さらにロジック回路２３０は、有効領域４４２ごとに座標原点Ｏを定め、タッチされた座標の相対的な座標情報をメモリに保持してもよい。これにより外部のマイコンは、複数の仮想タッチパネルそれぞれを、あたかも複数のタッチパネルのように扱うことが可能となる。
【０１１７】
なお分割モードを、一般的なソフトウェアキー（ソフトウェアボタン）と混同してはならない。一般的なソフトウェアキーは、制御回路２００が検出した座標を、上位のマイコンが処理することによって領域判定を行い、いずれのキーがタッチされたかが判定される。一方、分割モードは、マイコンでは領域判定は行われない。
【０１１８】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【０１１９】
実施の形態では、制御回路が、第１〜第５モードのすべてをサポートする場合を説明したがその限りではなく、任意の組み合わせをサポートすることができる。
【０１２０】
図１７を参照して説明した分割モードのアーキテクチャは、図１０の制御回路２００に限らず、従来の制御回路に採用することも可能であり、そうした態様も本発明に含まれる。
【０１２１】
５線式タッチパネルには、一方の抵抗膜４２０の４つの頂点の近傍の４カ所に、４個の電極が設けられ、４本の配線Ａ〜Ｄが引き出されるものが存在する。バイアス回路２２０を修正することにより、このような５線式タッチパネルにも対応可能である。
【０１２２】
なお、タッチ式のスイッチとしては特願２０１５−２２１８５２に記載のものを用いてもよい。これは、２枚の抵抗膜のうち一方を導体に置換した構造と把握することができる。
【０１２３】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【０１２４】
１００…タッチ式入力装置、２００…制御回路、２１０…Ａ／Ｄ変換回路、２１２…マルチプレクサ、２１４…Ａ／Ｄコンバータ、２２０…バイアス回路、２２２…電圧源、２３０…ロジック回路、２４０…インタフェース回路、４００…タッチパネル、４４０…不感領域、４４２…有効領域、１…自動二輪車、１０…インフォメーションディスプレイシステム、１２…ディスプレイパネル、１４…コントローラ、１６…タッチ式入力装置。
【図１】
2019003478.tif 000003
【図２】
2019003478.tif 000004
【図３】
2019003478.tif 000005
【図４】
2019003478.tif 000006
【図５】
2019003478.tif 000007
【図６】
2019003478.tif 000008
【図７】
2019003478.tif 000009
【図８】
2019003478.tif 000010
【図９】
2019003478.tif 000011
【図１０】
2019003478.tif 000012
【図１１】
2019003478.tif 000013
【図１２】
2019003478.tif 000014
【図１３】
2019003478.tif 000015
【図１４】
2019003478.tif 000016
【図１５】
2019003478.tif 000017
【図１６】
2019003478.tif 000018
【図１７】
2019003478.tif 000019